(57)【要約】【課題】発光素子駆動装置が提供される。【解決手段】本発明の発光素子駆動装置は、動作電圧端に連結され、複数のＬＥＤを含む第１ＬＥＤチャンネルに流れる電流を、パルス幅変調された第１制御信号に応じて調節する第１駆動制御用素子と、前記第１駆動制御用素子と接地の間に連結され、前記第１ＬＥＤチャンネルに流れる電流を検出する第１電流検出部と、前記電流検出部で検出された電流の実効値を検出する第１実効値検出部と、既設定されたのこぎり波基準信号を生成する第１基準信号生成部と、前記第１基準信号生成部からの基準信号と前記第１実効値検出部からの実効値を比較して、パルス幅変調された前記第１制御信号を生成し、前記第１駆動制御用素子に供給する第１比較部と、を含むことができる。【選択図】図１
2011129864.tif 000002
【特許請求の範囲】
【請求項１】
動作電圧端に連結され、複数のＬＥＤを含む第１ＬＥＤチャンネルに流れる電流を、パルス幅変調された第１制御信号に応じて調節する第１駆動制御用素子と、
前記第１駆動制御用素子と接地の間に連結され、前記第１ＬＥＤチャンネルに流れる電流を検出する第１電流検出部と、
前記電流検出部で検出された電流の実効値を検出する第１実効値検出部と、
既設定されたのこぎり波基準信号を生成する第１基準信号生成部と、
前記第１基準信号生成部からの基準信号と前記第１実効値検出部からの実効値を比較して、パルス幅変調された前記第１制御信号を生成し、前記第１駆動制御用素子に供給する第１比較部と
を含むことを特徴とする発光素子駆動装置。
【請求項２】
前記第１駆動制御用素子は、
前記第１ＬＥＤチャンネルと前記第１電流検出部の間に連結され、前記第１ＬＥＤチャンネルに連結されたドレインと、前記第１比較部の第１制御信号が供給されるゲートと、前記第１電流検出部に連結されたソースとを有するＮＭＯＳトランジスタを含むことを特徴とする請求項１に記載の発光素子駆動装置。
【請求項３】
前記第１電流検出部は、
前記第１駆動制御用素子と接地の間に連結された抵抗を含むことを特徴とする請求項１または２に記載の発光素子駆動装置。
【請求項４】
前記第１比較部は、
前記第１基準信号生成部からの基準信号が入力される反転入力端と、前記第１実効値検出部からの実効値が入力される非反転入力端と、前記反転入力端に入力される基準信号と前記非反転入力端に入力される実効値を比較してパルス幅変調された前記第１制御信号を前記第１駆動制御用素子に出力する出力端とを有する演算増幅器からなることを特徴とする請求項１から３の何れか１項に記載の発光素子駆動装置。
【請求項５】
前記第１比較部は、
ハイレベル及びローレベルからなるディミング用ＰＷＭ信号に応じて動作オンまたはオフされ、前記ディミング用ＰＷＭ信号がハイレベルであれば動作オンされ、前記ディミング用ＰＷＭ信号がローレベルであれば動作オフされることを特徴とする請求項４に記載の発光素子駆動装置。
【請求項６】
動作電圧端に互いに並列に連結され、複数のＬＥＤを含む複数の第１〜第ｎＬＥＤチャンネルのうち該当のＬＥＤチャンネルに流れる電流を、パルス幅変調された第１〜第ｎ制御信号のうち該当の制御信号に応じて調節する第１〜第ｎ駆動制御用素子と、
前記第１〜第ｎ駆動制御用素子のうち該当の駆動制御用素子と接地の間に連結され、前記第１〜第ｎＬＥＤチャンネルのうち該当のＬＥＤチャンネルに流れる電流を検出する第１〜第ｎ電流検出部と、
前記第１〜第ｎ電流検出部のうち該当の電流検出部で検出された電流の実効値を検出する第１〜第ｎ実効値検出部と、
既設定されたのこぎり波基準信号を生成する第１〜第ｎ基準信号生成部と、
前記第１〜第ｎ基準信号生成部のうち該当の基準信号生成部からの基準信号と前記第１〜第ｎ実効値検出部のうち該当の実効値検出部からの実効値を比較して、パルス幅変調された前記第１〜第ｎ制御信号のうち該当の制御信号を生成し、前記第１〜第ｎ駆動制御用素子のうち該当の駆動制御用素子に供給する第１〜第ｎ比較部と、を含むことを特徴とする発光素子駆動装置。
【請求項７】
前記第１〜第ｎ駆動制御用素子の各々は、
前記第１〜第ｎＬＥＤチャンネルのうち該当のＬＥＤチャンネルと前記第１〜第ｎ電流検出部のうち該当の電流検出部の間に連結され、前記第１〜第ｎＬＥＤチャンネルのうち該当のＬＥＤチャンネルに連結されたドレインと、前記第１〜第ｎ比較部のうち該当の比較部の第１〜第ｎ制御信号のうち該当の制御信号が供給されるゲートと、前記第１〜第ｎ電流検出部のうち該当の電流検出部に連結されたソースとを有するＮＭＯＳトランジスタを含むことを特徴とする請求項６に記載の発光素子駆動装置。
【請求項８】
前記第１〜第ｎ電流検出部の各々は、
前記第１〜第ｎ駆動制御用素子のうち該当の駆動制御用素子と接地の間に連結された抵抗を含むことを特徴とする請求項６または７に記載の発光素子駆動装置。
【請求項９】
前記第１〜第ｎ比較部の各々は、
前記第１〜第ｎ基準信号生成部のうち該当の基準信号生成部からの基準信号が入力される反転入力端と、前記第１〜第ｎ実効値検出部からの実効値が入力される非反転入力端と、前記反転入力端に入力される基準信号と前記非反転入力端に入力される実効値を比較して、パルス幅変調された前記第１〜第ｎ制御信号のうち該当の制御信号を前記第１〜第ｎ駆動制御用素子のうち該当の駆動制御用素子に出力する出力端とを有する演算増幅器からなることを特徴とする請求項６から８の何れか１項に記載の発光素子駆動装置。
【請求項１０】
前記第１〜第ｎ基準信号生成部の各々は、
互いに同期し、同一周波数を有する第１、第２及び第ｎ基準信号を各々生成することを特徴とする請求項６から９の何れか１項に記載の発光素子駆動装置。
【請求項１１】
前記第１〜第ｎ比較部は、ハイレベル及びローレベルからなるディミング用ＰＷＭ信号に応じて動作オンまたはオフされることを特徴とする請求項６から１０の何れか１項に記載の発光素子駆動装置。
【請求項１２】
前記ディミング用ＰＷＭ信号は、
一つの信号が前記第１〜第ｎ比較部に各々分岐して提供されることを特徴とする請求項１１に記載の発光素子駆動装置。
【発明の詳細な説明】
【技術分野】
【０００１】
本発明は、照明装置やバックライトユニット（ＢＬＵ：Ｂａｃｋｌｉｇｈｔ  Ｕｎｉｔ）に適用できる発光素子駆動装置に関し、特に、マルチチャンネルの発光素子の駆動を制御するためにチャンネル別に設けられる駆動制御用トランジスタをＰＷＭ方式で動作させるＰＷＭを利用した発光素子駆動装置に関する。
【背景技術】
【０００２】
ＬＥＤ（Ｌｉｇｈｔ  Ｅｍｉｔｔｉｎｇ  Ｄｉｏｄｅ）は、照明装置やバックライトユニット（ＢＬＵ）など様々な分野に適用されており、最近その適用分野が拡大されつつある。
【０００３】
ＬＥＤバックライトユニットにおいて、ローカルディミング（Ｌｏｃａｌ  Ｄｉｍｍｉｎｇ）及びスキャン（Ｓｃａｎｎｉｎｇ）機能を使用するために、マルチチャンネル（Ｍｕｌｔｉ−ｃｈａｎｎｅｌ）ＬＥＤ駆動方式が使用されている。また、同一輝度を維持するために、リニア（Ｌｉｎｅａｒ）方式が使用されている。
【０００４】
かかるリニア方式は価格側面で有利であるが、チャンネル間ＬＥＤの順方向電圧（ＶＦ）の偏差によって駆動回路（Ｄｒｉｖｅｒ  ＩＣ）で発熱問題が発生するので、マルチチャンネルＬＥＤ駆動回路のＩＣ内蔵に限界がある。
【０００５】
従来マルチチャンネルＬＥＤ駆動回路は、複数のＬＥＤを駆動するために複数のチャンネルを内蔵し、各チャンネルの電流をセンシングしてリニア方式で電流を制御する。
【０００６】
この時、ＬＥＤの順方向電圧（ＶＦ）の偏差によってマルチチャンネルそれぞれのＬＥＤストリングにかかる電圧が互いに異なるようになり、この時、最も低いＬＥＤストリング電圧をフィードバックして動作電圧（Ｖｃｃ）を制御する。
【０００７】
しかしながら、従来のマルチチャンネルＬＥＤ駆動回路では、ＬＥＤストリング間の順方向電圧（ＶＦ）偏差があり、順方向電圧（ＶＦ）の偏差によってＬＥＤ駆動を制御する駆動制御用素子（トランジスタ）に大きい電圧がかかるようになる。これによって、駆動制御用素子で高い発熱が起きるという問題点がある。
【０００８】
駆動制御用素子の発熱によって、集積回路（ＩＣ）にマルチチャンネルを内蔵することに制約があり、集積回路（ＩＣ）の散布によってチャンネル間マッチング特性が低下する短所がある。さらに、このような短所を改善するために補償回路が必要になり、これによって価格が上昇する問題点もある。
【発明の概要】
【発明が解決しようとする課題】
【０００９】
本発明は、上記の従来技術の問題点を鑑みてなされたものであって、その目的は、マルチチャンネルの発光素子の駆動を制御するためにチャンネル別に設けられる駆動制御用トランジスタをＰＷＭ方式で動作させることで、チャンネル間の発光素子の順方向電圧（ＶＦ）の偏差に関係なく駆動制御用素子の発熱を減少させることができ、チャンネル間電流マッチング特性を向上させることができる発光素子駆動装置を提供することにある。
【課題を解決するための手段】
【００１０】
上記の本発明の目的を達成するための本発明の第１の技術的側面は、動作電圧端に連結され、複数のＬＥＤを含む第１ＬＥＤチャンネルに流れる電流を、パルス幅変調された第１制御信号に応じて調節する第１駆動制御用素子と、前記第１駆動制御用素子と接地の間に連結され、前記第１ＬＥＤチャンネルに流れる電流を検出する第１電流検出部と、前記電流検出部で検出された電流の実効値を検出する第１実効値検出部と、既設定されたのこぎり波基準信号を生成する第１基準信号生成部と、前記第１基準信号生成部からの基準信号と前記第１実効値検出部からの実効値を比較して、パルス幅変調された前記第１制御信号を生成し、前記第１駆動制御用素子に供給する第１比較部と、を含む発光素子駆動装置を提案する。
【００１１】
本発明の第１の技術的側面において、前記第１駆動制御用素子は、前記第１ＬＥＤチャンネルと前記第１電流検出部の間に連結され、前記第１ＬＥＤチャンネルに連結されたドレインと、前記第１比較部の第１制御信号が供給されるゲートと、前記第１電流検出部に連結されたソースとを有するＮＭＯＳトランジスタを含むことを特徴とする。
【００１２】
前記第１電流検出部は、前記第１駆動制御用素子と接地の間に連結された抵抗を含むことを特徴とする。
【００１３】
前記第１比較部は、前記第１基準信号生成部からの基準信号が入力される反転入力端と、前記第１実効値検出部からの実効値が入力される非反転入力端と、前記反転入力端に入力される基準信号と前記非反転入力端に入力される実効値を比較してパルス幅変調された前記第１制御信号を前記第１駆動制御用素子に出力する出力端とを有する演算増幅器からなることを特徴とする。
【００１４】
前記第１比較部は、ハイレベル及びローレベルからなるディミング用ＰＷＭ信号に応じて動作オンまたはオフされ、前記ディミング用ＰＷＭ信号がハイレベルであれば動作オンされ、前記ディミング用ＰＷＭ信号がローレベルであれば動作オフされることを特徴とする。
【００１５】
また、本発明の第２の技術的側面は、動作電圧端に互いに並列に連結され、複数のＬＥＤを含む複数の第１〜第ｎＬＥＤチャンネルのうち該当のＬＥＤチャンネルに流れる電流を、パルス幅変調された第１〜第ｎ制御信号のうち該当の制御信号に応じて調節する第１〜第ｎ駆動制御用素子と、前記第１〜第ｎ駆動制御用素子のうち該当の駆動制御用素子と接地の間に連結され、前記第１〜第ｎＬＥＤチャンネルのうち該当のＬＥＤチャンネルに流れる電流を検出する第１〜第ｎ電流検出部と、前記第１〜第ｎ電流検出部のうち該当の電流検出部で検出された電流の実効値を検出する第１〜第ｎ実効値検出部と、既設定されたのこぎり波基準信号を生成する第１〜第ｎ基準信号生成部と、前記第１〜第ｎ基準信号生成部のうち該当の基準信号生成部からの基準信号と前記第１〜第ｎ実効値検出部のうち該当の実効値検出部からの実効値を比較して、パルス幅変調された前記第１〜第ｎ制御信号のうち該当の制御信号を生成し、前記第１〜第ｎ駆動制御用素子のうち該当の駆動制御用素子に供給する第１〜第ｎ比較部と、を含む発光素子駆動装置を提案する。
【００１６】
本発明の第２の技術的側面において、前記第１〜第ｎ駆動制御用素子の各々は、前記第１〜第ｎＬＥＤチャンネルのうち該当のＬＥＤチャンネルと前記第１〜第ｎ電流検出部のうち該当の電流検出部の間に連結され、前記第１〜第ｎＬＥＤチャンネルのうち該当のＬＥＤチャンネルに連結されたドレインと、前記第１〜第ｎ比較部のうち該当の比較部の第１〜第ｎ制御信号のうち該当の制御信号が供給されるゲートと、前記第１〜第ｎ電流検出部のうち該当の電流検出部に連結されたソースとを有するＮＭＯＳトランジスタを含むことを特徴とする。
【００１７】
前記第１〜第ｎ電流検出部の各々は、前記第１〜第ｎ駆動制御用素子のうち該当の駆動制御用素子と接地の間に連結された抵抗を含むことを特徴とする。
【００１８】
前記第１〜第ｎ比較部の各々は、前記第１〜第ｎ基準信号生成部のうち該当の基準信号生成部からの基準信号が入力される反転入力端と、前記第１〜第ｎ実効値検出部からの実効値が入力される非反転入力端と、前記反転入力端に入力される基準信号と前記非反転入力端に入力される実効値を比較して、パルス幅変調された前記第１〜第ｎ制御信号のうち該当の制御信号を前記第１〜第ｎ駆動制御用素子のうち該当の駆動制御用素子に出力する出力端とを有する演算増幅器からなることを特徴とする。
【００１９】
前記第１〜第ｎ基準信号生成部の各々は、互いに同期し、同一周波数を有する第１、第２及び第ｎ基準信号を各々生成することを特徴とする。
【００２０】
さらに、本発明の第３の技術的側面は、動作電圧端に互いに並列に連結され、複数のＬＥＤを含む複数の第１〜第ｎＬＥＤチャンネルのうち該当のＬＥＤチャンネルに流れる電流を、パルス幅変調された第１〜第ｎ制御信号のうち該当の制御信号に応じて調節する第１〜第ｎ駆動制御用素子と、前記第１〜第ｎ駆動制御用素子のうち該当の駆動制御用素子と接地の間に連結され、前記第１〜第ｎＬＥＤチャンネルのうち該当のＬＥＤチャンネルに流れる電流を検出する第１〜第ｎ電流検出部と、前記第１〜第ｎ電流検出部のうち該当の電流検出部で検出された電流の実効値を検出する第１〜第ｎ実効値検出部と、既設定されたのこぎり波基準信号を生成する第１〜第ｎ基準信号生成部と、ハイレベル及びローレベルからなるディミング用ＰＷＭ信号に応じて動作オンまたはオフされ、前記第１〜第ｎ基準信号生成部のうち該当の基準信号生成部からの基準信号と前記第１〜第ｎ実効値検出部のうち該当の実効値検出部からの実効値を比較して、パルス幅変調された前記第１〜第ｎ制御信号のうち該当の制御信号を生成し、前記第１〜第ｎ駆動制御用素子のうち該当の駆動制御用素子に供給する第１〜第ｎ比較部と、を含む発光素子駆動装置を提案する。
【００２１】
本発明の第３の技術的側面において、前記第１〜第ｎ駆動制御用素子の各々は、前記第１〜第ｎＬＥＤチャンネルのうち該当のＬＥＤチャンネルと前記第１〜第ｎ電流検出部のうち該当の電流検出部の間に連結され、前記第１〜第ｎＬＥＤチャンネルのうち該当のＬＥＤチャンネルに連結されたドレインと、前記第１〜第ｎ比較部のうち該当の比較部の第１〜第ｎ制御信号のうち該当の制御信号が供給されるゲートと、前記第１〜第ｎ電流検出部のうち該当の電流検出部に連結されたソースとを有するＮＭＯＳトランジスタを含むことを特徴とする。
【００２２】
前記第１〜第ｎ電流検出部の各々は、前記第１〜第ｎ駆動制御用素子のうち該当の駆動制御用素子と接地の間に連結された抵抗を含むことを特徴とする。
【００２３】
前記第１〜第ｎ比較部の各々は、前記第１〜第ｎ基準信号生成部のうち該当の基準信号生成部からの基準信号が入力される反転入力端と、前記第１〜第ｎ実効値検出部からの実効値が入力される非反転入力端と、前記反転入力端に入力される基準信号と前記非反転入力端に入力される実効値を比較して、パルス幅変調された前記第１〜第ｎ制御信号のうち該当の制御信号を前記第１〜第ｎ駆動制御用素子のうち該当の駆動制御用素子に出力する出力端とを有する演算増幅器からなることを特徴とする。
【００２４】
前記第１〜第ｎ基準信号生成部の各々は、互いに同期し、同一周波数を有する第１、第２及び第ｎ基準信号の各々を生成することを特徴とする。
【００２５】
前記ディミング用ＰＷＭ信号は、一つの信号が前記第１〜第ｎ比較部に各々分岐して提供されることを特徴とする。
【発明の効果】
【００２６】
本発明によると、マルチチャンネルの発光素子の駆動を制御するためにチャンネル別に設けられる駆動制御用トランジスタをＰＷＭ方式で動作させることで、チャンネル間の発光素子の順方向電圧（ＶＦ）の偏差に関係なく駆動制御用素子の発熱を減少させることができ、チャンネル間電流マッチング特性を向上させることができ、駆動制御用素子のＩＣ内蔵を可能とする効果がある。
【図面の簡単な説明】
【００２７】
【図１】本発明の第１実施例による発光素子駆動装置を示すブロック図である。
【図２】本発明の第２実施例による発光素子駆動装置を示すブロック図である。
【図３】本発明の発光素子駆動装置のチャンネル別ノード電圧説明図である。
【図４】本発明の主要信号のタイミングチャートである。
【発明を実施するための形態】
【００２８】
以下、本発明の実施例を添付の図面を参照して詳しく説明する。
【００２９】
本発明は後述される実施例に限定されず、本発明の実施例は本発明の技術的思想を容易に理解するためのものである。本発明に参照される図面において実質的に同じ構成と機能を有する構成要素には同じ符号を使用する。
【００３０】
図１は、本発明の第１実施例による発光素子駆動装置を示すブロック図である。図１を参照すると、本発明の第１実施例による発光素子駆動装置は、動作電圧Ｖｃｃ端に連結され、複数のＬＥＤを含む第１ＬＥＤチャンネルＬＥＤ−ＣＨ１に流れる電流を、パルス幅変調された第１制御信号ＳＣ１に応じて調節する第１駆動制御用素子１００−１と、前記第１駆動制御用素子１００−１と接地の間に連結され、前記第１ＬＥＤチャンネルＬＥＤ−ＣＨ１に流れる電流を検出する第１電流検出部２００−１と、前記電流検出部２００−１で検出された電流の実効値を検出する第１実効値検出部３００−１と、既設定されたのこぎり波基準信号を生成する第１基準信号生成部４００−１と、前記第１基準信号生成部４００−１からの基準信号と前記第１実効値検出部３００−１からの実効値を比較して、パルス幅変調された前記第１制御信号ＳＣ１を生成し、前記第１駆動制御用素子１００−１に供給する第１比較部５００−１を含むことができる。
【００３１】
前記第１駆動制御用素子１００−１は、前記第１ＬＥＤチャンネルＬＥＤ−ＣＨ１と前記第１電流検出部２００−１の間に連結され、前記第１ＬＥＤチャンネルＬＥＤ−ＣＨ１に連結されたドレインと、前記第１比較部５００−１の第１制御信号が供給されるゲートと、前記第１電流検出部２００−１に連結されたソースとを有するＮＭＯＳトランジスタを含むことができる。
【００３２】
前記第１電流検出部２００−１は、前記第１駆動制御用素子１００−１と接地の間に連結された抵抗を含むことができる。
【００３３】
前記第１比較部５００−１は、前記第１基準信号生成部４００−１からの基準信号が入力される反転入力端と、前記第１実効値検出部３００−１からの実効値が入力される非反転入力端と、前記反転入力端に入力される基準信号と前記非反転入力端に入力される実効値を比較してパルス幅変調された前記第１制御信号ＳＣ１を前記第１駆動制御用素子１００−１に出力する出力端とを有する演算増幅器からなることができる。
【００３４】
前記第１比較部５００−１は、ハイレベル及びローレベルからなるディミング用ＰＷＭ信号Ｄ−ＰＷＭに応じて動作オンまたはオフされ、前記ディミング用ＰＷＭ信号Ｄ−ＰＷＭがハイレベルであれば動作オンされ、前記ディミング用ＰＷＭ信号Ｄ−ＰＷＭがローレベルであれば動作オフされることができる。
【００３５】
図２は、本発明の第２実施例による発光素子駆動装置を示すブロック図である。図２を参照すると、本発明の第２実施例による発光素子駆動装置は、動作電圧Ｖｃｃ端に互いに並列に連結され、複数のＬＥＤを含む複数の第１〜第ｎＬＥＤチャンネルＬＥＤ−ＣＨ１〜ＬＥＤ−ＣＨｎのうち該当のＬＥＤチャンネルに流れる電流を、パルス幅変調された第１〜第ｎ制御信号ＳＣ１−ＳＣｎのうち該当の制御信号に応じて調節する第１〜第ｎ駆動制御用素子１００−１〜１００−ｎを含むことができる。
【００３６】
また、本発明の第２実施例による発光素子駆動装置は、前記第１〜第ｎ駆動制御用素子１００−１〜１００−ｎのうち該当の駆動制御用素子と接地の間に連結され、前記第１〜第ｎＬＥＤチャンネルＬＥＤ−ＣＨ１〜ＬＥＤ−ＣＨｎのうち該当のＬＥＤチャンネルに流れる電流を検出する第１〜第ｎ電流検出部２００−１〜２００−ｎを含むことができる。
【００３７】
また、本発明の第２実施例による発光素子駆動装置は、前記第１〜第ｎ電流検出部２００−１〜２００−ｎのうち該当の電流検出部で検出された電流の実効値を検出する第１〜第ｎ実効値検出部３００−１〜３００−ｎと、既設定されたのこぎり波基準信号を生成する第１〜第ｎ基準信号生成部４００−１〜４００−ｎを含むことができる。
【００３８】
また、 本発明の第２実施例による発光素子駆動装置は、前記第１〜第ｎ基準信号生成部４００−１〜４００−ｎのうち該当の基準信号生成部からの基準信号と前記第１〜第ｎ実効値検出部３００−１〜３００−ｎのうち該当の実効値検出部からの実効値を比較して、パルス幅変調された前記第１〜第ｎ制御信号ＳＣ１−ＳＣｎのうち該当の制御信号を生成し、前記第１〜第ｎ駆動制御用素子１００−１〜１００−ｎのうち該当の制御用素子に供給する第１〜第ｎ比較部５００−１〜５００−ｎを含むことができる。
【００３９】
この時、前記第１〜第ｎ比較部５００−１〜５００−ｎのそれぞれは、ハイレベル及びローレベルからなるディミング用ＰＷＭ信号Ｄ−ＰＷＭに応じて動作オンまたはオフされ、前記ディミング用ＰＷＭ信号Ｄ−ＰＷＭがハイレベルであれば動作オンされ、前記ディミング用ＰＷＭ信号Ｄ−ＰＷＭがローレベルであれば動作オフされることができる。
【００４０】
一方、本発明の発光素子駆動装置は、複数の第１〜第ｎＬＥＤチャンネルＬＥＤ−ＣＨ１〜ＬＥＤ−ＣＨｎそれぞれに含まれた複数のＬＥＤを駆動するため、第１〜第ｎ駆動回路部ＬＥＤ−ＤＲ１〜ＬＥＤ−ＤＲｎを含むことができる。
【００４１】
まず、前記第１駆動回路部ＬＥＤ−ＤＲ１は、前記第１ＬＥＤチャンネルＬＥＤ−ＣＨ１に含まれた複数のＬＥＤを駆動するために、前記第１駆動制御用素子１００−１、第１電流検出部２００−１、第１実効値検出部３００−１と、第１基準信号生成部４００−１及び第１比較部５００−１を含むことができる。
【００４２】
この時、前記第１駆動制御用素子１００−１は、前記第１ＬＥＤチャンネルＬＥＤ−ＣＨ１と前記第１電流検出部２００−１の間に連結され、前記第１ＬＥＤチャンネルＬＥＤ−ＣＨ１に連結されたドレインと、前記第１比較部５００−１の第１制御信号ＳＣ１が供給されるゲートと、前記第１電流検出部２００−１に連結されたソースとを有するＮＭＯＳトランジスタを含むことができる。
【００４３】
前記第１電流検出部２００−１は、前記第１駆動制御用素子１００−１と接地の間に連結された抵抗を含むことができる。
【００４４】
前記第１比較部５００−１は、前記第１基準信号生成部４００−１からの基準信号が入力される反転入力端と、前記第１実効値検出部３００−１からの実効値が入力される非反転入力端と、前記反転入力端に入力される基準信号と前記非反転入力端に入力される実効値を比較してパルス幅変調された前記第１制御信号ＳＣ１を前記第１駆動制御用素子１００−１に出力する出力端とを有する演算増幅器からなることができる。
【００４５】
前記第２駆動回路部ＬＥＤ−ＤＲ２は、前記第２ＬＥＤチャンネルＬＥＤ−ＣＨ２に含まれた複数のＬＥＤを駆動するために、第２駆動制御用素子１００−２、第２電流検出部２００−２、第２実効値検出部３００−２と、第２基準信号生成部４００−２及び第２比較部５００−２を含むことができる。
【００４６】
この時、前記第２駆動制御用素子１００−２は、前記第２ＬＥＤチャンネルＬＥＤ−ＣＨ２と前記第２電流検出部２００−２の間に連結され、前記第２ＬＥＤチャンネルＬＥＤ−ＣＨ２に連結されたドレインと、前記第２比較部５００−２の第２制御信号ＳＣ２が供給されるゲートと、前記第２電流検出部２００−２に連結されたソースとを有するＮＭＯＳトランジスタを含むことができる。
【００４７】
前記第２電流検出部２００−２は、前記第２駆動制御用素子１００−２と接地の間に連結された抵抗を含むことができる。
【００４８】
前記第２比較部５００−２は、前記第２基準信号生成部４００−２からの基準信号が入力される反転入力端と、前記第２実効値検出部３００−２からの実効値が入力される非反転入力端と、前記反転入力端に入力される基準信号と前記非反転入力端に入力される実効値を比較してパルス幅変調された前記第２制御信号ＳＣ２を前記第２駆動制御用素子１００−２に出力する出力端とを有する演算増幅器からなることができる。
【００４９】
そして、前記第ｎ駆動回路部ＬＥＤ−ＤＲｎは、前記第ｎＬＥＤチャンネルＬＥＤ−ＣＨｎに含まれた複数のＬＥＤを駆動するために、第ｎ駆動制御用素子１００−ｎ、第ｎ電流検出部２００−ｎ、第ｎ実効値検出部３００−ｎと、第ｎ基準信号生成部４００−ｎ及び第ｎ比較部５００−ｎを含むことができる。
【００５０】
この時、前記第ｎ駆動制御用素子１００−ｎは、前記第ｎＬＥＤチャンネルＬＥＤ−ＣＨｎと前記第ｎ電流検出部２００−ｎの間に連結され、前記第ｎＬＥＤチャンネルＬＥＤ−ＣＨｎに連結されたドレインと、前記第ｎ比較部５００−ｎの第ｎ制御信号ＳＣｎが供給されるゲートと、前記第ｎ電流検出部２００−ｎに連結されたソースとを有するＮＭＯＳトランジスタを含むことができる。
【００５１】
前記第ｎ電流検出部２００−ｎは、前記第ｎ駆動制御用素子１００−ｎと接地の間に連結された抵抗を含むことができる。
【００５２】
前記第ｎ比較部５００−ｎは、前記第ｎ基準信号生成部４００−ｎからの基準信号が入力される反転入力端と、前記第ｎ実効値検出部３００−ｎからの実効値が入力される非反転入力端と、前記反転入力端に入力される基準信号と前記非反転入力端に入力される実効値を比較してパルス幅変調された前記第ｎ制御信号ＳＣｎを前記第ｎ駆動制御用素子１００−ｎに出力する出力端とを有する演算増幅器からなることができる。
【００５３】
前記第１〜第ｎ基準信号生成部４００−１、４００−２、４００−ｎそれぞれは、互いに同期し、同一周波数を有する第１、第２及び第ｎ基準信号それぞれを生成することができる。
【００５４】
また、前記ディミング用ＰＷＭ信号Ｄ−ＰＷＭは、一つの信号が前記第１〜第ｎ比較部５００−１、５００−２、５００−ｎそれぞれに分岐して提供されることができる。
【００５５】
図３は、本発明の発光素子駆動装置のチャンネル別ノード電圧説明図である。図３において、前記動作電圧Ｖｃｃが３５．５Ｖの場合、第１ＬＥＤチャンネルＬＥＤ−ＣＨ１、第１駆動制御用素子１００−１及び第１電流検出部２００−１からなるノードに３５．５Ｖがかかる。また、第２ＬＥＤチャンネルＬＥＤ−ＣＨ２、第２駆動制御用素子１００−２及び第２電流検出部２００−２からなるノードに３５．５Ｖがかかる。そして、第ｎＬＥＤチャンネルＬＥＤ−ＣＨｎ、第ｎ駆動制御用素子１００−ｎ及び第ｎ電流検出部２００−ｎからなるノードに３５．５Ｖがかかる。
【００５６】
これによって、チャンネル別のＬＥＤの順方向の電圧偏差によって各ノードには互いに異なる電圧がかかることが分かる。
【００５７】
図４は、本発明の主要信号のタイミングチャートである。図４において、Ｄ−ＰＷＭはディミング用ＰＷＭ信号であり、Ｉ１は前記第１電流検出部２００−１に流れる電流であり、Ｉ２は前記第２電流検出部２００−２に流れる電流であり、そしてＩｎは前記第ｎ電流検出部２００−ｎに流れる電流である。
【００５８】
以下、本発明の作用及び効果を添付の図面に基づいて詳しく説明する。
【００５９】
まず、図１を参照して本発明の第１実施例による発光素子駆動装置について説明する。
【００６０】
図１を参照すると、本発明の発光素子駆動装置は、第１ＬＥＤチャンネルＬＥＤ−ＣＨ１に含まれた複数のＬＥＤを駆動するために、第１駆動回路部ＬＥＤ−ＤＲ１を含む、まず、前記第１駆動回路部ＬＥＤ−ＤＲ１に対する動作過程を説明する。
【００６１】
図１において、前記第１ＬＥＤチャンネルＬＥＤ−ＣＨ１に動作電圧Ｖｃｃが供給されると、前記第１ＬＥＤチャンネルＬＥＤ−ＣＨ１の複数のＬＥＤが動作する。この時、本発明の発光素子駆動装置が前記第１ＬＥＤチャンネルＬＥＤ−ＣＨ１に含まれた複数のＬＥＤに流れる電流を調節する。すなわち、本発明の発光素子駆動装置は、前記第１ＬＥＤチャンネルＬＥＤ−ＣＨ１に含まれた複数のＬＥＤが点灯される間、前記第１ＬＥＤチャンネルＬＥＤ−ＣＨ１に流れる電流を調節する。
【００６２】
図１を参照してより具体的に説明すると、本発明の第１駆動制御用素子１００−１は、複数のＬＥＤを含む第１ＬＥＤチャンネルＬＥＤ−ＣＨ１に流れる電流を、パルス幅変調された第１制御信号ＳＣ１に応じて調節する。
【００６３】
一具現例として、図１に示すように、前記第１駆動制御用素子１００−１は、ＮＭＯＳトランジスタを含むことができ、前記ＮＭＯＳトランジスタは、前記第１比較部５００−１からのパルス幅変調された第１制御信号ＳＣ１に応じてＰＷＭ方式でスイッチング制御される。これによって、前記ＮＭＯＳトランジスタを通じて流れる電流を調節することができる。
【００６４】
この時、本発明の第１電流検出部２００−１は、前記第１駆動制御用素子１００−１と接地の間に連結された抵抗を含むことができ、前記第１ＬＥＤチャンネルＬＥＤ−ＣＨ１に流れる電流を検出して第１実効値検出部３００−１に提供する。
【００６５】
前記第１実効値検出部３００−１は、前記第１電流検出部２００−１で検出された電流の実効値を検出して、第１比較部５００−１の非反転入力端に提供する。
【００６６】
一方、本発明の第１基準信号生成部４００−１は、既設定されたのこぎり波基準信号を生成して、前記第１比較部５００−１の反転入力端に提供する。
【００６７】
これによって、前記第１比較部５００−１は、前記第１基準信号生成部４００−１からの基準信号と前記第１実効値検出部３００−１からの実効値を比較してパルス幅変調された前記第１制御信号ＳＣ１を生成し、前記第１駆動制御用素子１００−１に供給する。
【００６８】
一具現例として、前記第１比較部５００−１は演算増幅器からなることができる。この場合、前記第１比較部５００−１は、前記反転入力端に入力される基準信号と前記非反転入力端に入力される実効値を比較して、パルス幅変調された前記第１制御信号ＳＣ１を前記第１駆動制御用素子１００−１に出力する。
【００６９】
この時、前記第１比較部５００−１は、前記基準信号のレベルより前記実効値が高ければハイレベルを出力し、逆に前記基準信号のレベルより前記実効値が低ければローレベルを出力する。結局、前記実効値の大きさによってパルス幅が可変されるパルス幅変調された前記第１制御信号ＳＣ１を前記第１駆動制御用素子１００−１に出力する。
【００７０】
また、このように動作する前記第１比較部５００−１は、外部から提供されるハイレベル及びローレベルからなるディミング用ＰＷＭ信号Ｄ−ＰＷＭに応じて動作オンまたはオフされる。すなわち、前記第１比較部５００−１は、前記ディミング用ＰＷＭ信号Ｄ−ＰＷＭがハイレベルであれば動作オンされて上述のような動作を行うことができ、前記ディミング用ＰＷＭ信号Ｄ−ＰＷＭがローレベルであれば動作オフされる。
【００７１】
以下、図２、図３及び図４を参照して本発明の第２実施例による発光素子駆動装置について説明する。
【００７２】
図２を参照すると、本発明の発光素子駆動装置は、複数の第１〜第ｎＬＥＤチャンネルＬＥＤ−ＣＨ１〜ＬＥＤ−ＣＨｎそれぞれに含まれた複数のＬＥＤを駆動するために、第１〜第ｎ駆動回路部ＬＥＤ−ＤＲ１〜ＬＥＤ−ＤＲｎを含む。
【００７３】
まず、図２において、本発明の発光素子駆動装置の第１ＬＥＤチャンネルＬＥＤ−ＣＨ１に含まれた複数のＬＥＤを駆動するために第１駆動回路部ＬＥＤ−ＤＲ１を動作させる過程は、本発明の第１実施例で説明された内容と同様であるので、ここではその説明を省略する。
【００７４】
次に、本発明の発光素子駆動装置の第２ＬＥＤチャンネルＬＥＤ−ＣＨ２に含まれた複数のＬＥＤを駆動するために第２駆動回路部ＬＥＤ−ＤＲ２を動作させる過程を説明する。
【００７５】
図２において、前記第２ＬＥＤチャンネルＬＥＤ−ＣＨ２に動作電圧Ｖｃｃが供給されると、前記第２ＬＥＤチャンネルＬＥＤ−ＣＨ２の複数のＬＥＤが動作する。この時、本発明の発光素子駆動装置が、前記第２ＬＥＤチャンネルＬＥＤ−ＣＨ２に含まれた複数のＬＥＤに流れる電流を調節する。すなわち、本発明の発光素子駆動装置は、前記第２ＬＥＤチャンネルＬＥＤ−ＣＨ２に含まれた複数のＬＥＤが点灯される間、前記第２ＬＥＤチャンネルＬＥＤ−ＣＨ２に流れる電流を調節する。
【００７６】
図２を参照してより具体的に説明すると、本発明の第２駆動制御用素子１００−２は、複数のＬＥＤを含む第２ＬＥＤチャンネルＬＥＤ−ＣＨ２に流れる電流を、パルス幅変調された第２制御信号ＳＣ２によ応じて調節する。
【００７７】
一具現例として、図２に示すように、前記第２駆動制御用素子１００−２は、ＮＭＯＳトランジスタを含むことができ、前記ＮＭＯＳトランジスタは、前記第２比較部５００−２からのパルス幅変調された第２制御信号ＳＣ２に応じてＰＷＭ方式でスイッチング制御される。これによって、前記ＮＭＯＳトランジスタを通じて流れる電流を調節することができる。
【００７８】
この時、本発明の第２電流検出部２００−２は、前記第２駆動制御用素子１００−２と接地の間に連結された抵抗を含むことができ、前記第１ＬＥＤチャンネルＬＥＤ−ＣＨ２に流れる電流を検出して、第２実効値検出部３００−２に提供する。
【００７９】
前記第２実効値検出部３００−２は、前記第２電流検出部２００−２で検出された電流の実効値を検出して、第１比較部５００−２の非反転入力端に提供する。
【００８０】
一方、本発明の第２基準信号生成部４００−２は、既設定されたのこぎり波基準信号を生成して、前記第２比較部５００−２の反転入力端に提供する。
【００８１】
これによって、前記第２比較部５００−２は、前記第２基準信号生成部４００−２からの基準信号と前記第２実効値検出部３００−２からの実効値を比較して、パルス幅変調された前記第２制御信号ＳＣ２を生成し、前記第２駆動制御用素子１００−２に供給する。
【００８２】
一具現例として、前記第２比較部５００−２は演算増幅器からなることができる。この場合、前記第２比較部５００−２は、前記反転入力端に入力される基準信号と前記非反転入力端に入力される実効値を比較して、パルス幅変調された前記第２制御信号ＳＣ２を前記第２駆動制御用素子１００−２に出力する。
【００８３】
この時、前記第２比較部５００−２は、前記基準信号のレベルより前記実効値が高ければハイレベルを出力し、逆に前記基準信号のレベルより前記実効値が低ければローレベルを出力して、結局、前記実効値の大きさによってパルス幅が可変されるパルス幅変調された前記第２制御信号ＳＣ２を前記第２駆動制御用素子１００−２に出力する。
【００８４】
また、このように動作する前記第２比較部５００−２は、外部から提供されるハイレベル及びローレベルからなるディミング用ＰＷＭ信号Ｄ−ＰＷＭに応じて動作オンまたはオフされる。すなわち、前記第２比較部５００−２は、前記ディミング用ＰＷＭ信号Ｄ−ＰＷＭがハイレベルであれば動作オンされて上述のような動作を行うことができ、前記ディミング用ＰＷＭ信号Ｄ−ＰＷＭがローレベルであれば動作オフされる。
【００８５】
次に、本発明の発光素子駆動装置の第ｎＬＥＤチャンネルＬＥＤ−ＣＨｎに含まれた複数のＬＥＤを駆動するために第ｎ駆動回路部ＬＥＤ−ＤＲｎを動作させる過程を説明する。
【００８６】
図２において、前記第ｎＬＥＤチャンネルＬＥＤ−ＣＨｎに動作電圧Ｖｃｃが供給されると、前記第ｎＬＥＤチャンネルＬＥＤ−ＣＨｎの複数のＬＥＤが動作する。この時、本発明の発光素子駆動装置が、前記第ｎＬＥＤチャンネルＬＥＤ−ＣＨｎに含まれた複数のＬＥＤに流れる電流を調節する。すなわち、本発明の発光素子駆動装置は、前記第ｎＬＥＤチャンネルＬＥＤ−ＣＨｎに含まれた複数のＬＥＤが点灯される間、前記第ｎＬＥＤチャンネルＬＥＤ−ＣＨｎに流れる電流を調節する。
【００８７】
図２を参照してより具体的に説明すると、本発明の第ｎ駆動制御用素子１００−ｎは、複数のＬＥＤを含む第ｎＬＥＤチャンネルＬＥＤ−ＣＨｎに流れる電流を、パルス幅変調された第ｎ制御信号ＳＣｎに応じて調節する。
【００８８】
一具現例として、図２に示すように、前記第ｎ駆動制御用素子１００−ｎは、ＮＭＯＳトランジスタを含むことができ、前記ＮＭＯＳトランジスタは、前記第ｎ比較部５００−ｎからのパルス幅変調された第ｎ制御信号ＳＣｎに応じてＰＷＭ方式でスイッチング制御される。これによって、前記ＮＭＯＳトランジスタを通じて流れる電流を調節することができる。
【００８９】
この時、本発明の第ｎ電流検出部２００−ｎは、前記第ｎ駆動制御用素子１００−ｎと接地の間に連結された抵抗を含むことができ、前記第１ＬＥＤチャンネルＬＥＤ−ＣＨｎに流れる電流を検出して、第ｎ実効値検出部３００−ｎに提供する。
【００９０】
前記第ｎ実効値検出部３００−ｎは、前記電流検出部２００−ｎで検出された電流の実効値を検出して、第ｎ比較部５００−ｎの非反転入力端に提供する。
【００９１】
一方、本発明の第ｎ基準信号生成部４００−ｎは、既設定されたのこぎり波基準信号を生成して、前記第ｎ比較部５００−ｎの反転入力端に提供する。
【００９２】
これによって、前記第ｎ比較部５００−ｎは、前記第ｎ基準信号生成部４００−ｎからの基準信号と前記第ｎ実効値検出部３００−ｎからの実効値を比較して、パルス幅変調された前記第ｎ制御信号ＳＣｎを生成し、前記第ｎ駆動制御用素子１００−ｎに供給する。
【００９３】
一具現例として、前記第ｎ比較部５００−ｎは演算増幅器からなることができる。この場合、前記第ｎ比較部５００−ｎは、前記反転入力端に入力される基準信号と前記非反転入力端に入力される実効値を比較して、パルス幅変調された前記第ｎ制御信号ＳＣｎを前記第ｎ駆動制御用素子１００−ｎに出力する。
【００９４】
この時、前記第２比較部５００−ｎは、前記基準信号のレベルより前記実効値が高ければハイレベルを出力し、逆に前記基準信号のレベルより前記実効値が低ければローレベルを出力して、結局、前記実効値の大きさによってパルス幅が可変されるパルス幅変調された前記第ｎ制御信号ＳＣｎを前記第ｎ駆動制御用素子１００−ｎに出力する。
【００９５】
また、このように動作する前記第ｎ比較部５００−ｎは、外部から提供されるハイレベル及びローレベルからなるディミング用ＰＷＭ信号Ｄ−ＰＷＭに応じて動作オンまたはオフされる。すなわち、前記第ｎ比較部５００−ｎは、前記ディミング用ＰＷＭ信号Ｄ−ＰＷＭがハイレベルであれば動作オンされて上述のような動作を行うことができ、前記ディミング用ＰＷＭ信号Ｄ−ＰＷＭがローレベルであれば動作オフされる。
【００９６】
前記第１〜第ｎ基準信号生成部４００−１、４００−２、４００−ｎそれぞれは、互いに同期し、同一周波数を有する第１、第２及び第ｎ基準信号それぞれを生成する。これによって、本発明の第１、第２及び第ｎ駆動回路部ＬＥＤ−ＤＲ１、ＬＥＤ−ＤＲ２、ＬＥＤ−ＤＲｎそれぞれは互いに同期して動作することができる。
【００９７】
また、前記ディミング用ＰＷＭ信号Ｄ−ＰＷＭは、一つの信号が前記第１〜第ｎ比較部５００−１、５００−２、５００−ｎそれぞれに分岐して提供されることができる。これによって、本発明の第１、第２及び第ｎ駆動回路部ＬＥＤ−ＤＲ１、ＬＥＤ−ＤＲ２、ＬＥＤ−ＤＲｎそれぞれが互いに同期して動作することがより保障される。
【００９８】
図３を参照して本発明のチャンネル別ノード電圧の一例を説明すると、図３において、前記動作電圧Ｖｃｃが３５．５Ｖの場合、第１ＬＥＤチャンネルＬＥＤ−ＣＨ１、第１駆動制御用素子１００−１及び第１電流検出部２００−１からなるノードに３５．５Ｖがかかる。また、第２ＬＥＤチャンネルＬＥＤ−ＣＨ２、第２駆動制御用素子１００−２及び第２電流検出部２００−２からなるノードに３５．５Ｖがかかる。そして、第ｎＬＥＤチャンネルＬＥＤ−ＣＨｎ、第ｎ駆動制御用素子１００−ｎ及び第ｎ電流検出部２００−ｎからなるノードに３５．５Ｖがかかる。
【００９９】
この時、前記第１、第２及び第ｎＬＥＤチャンネルＬＥＤ−ＣＨ１、ＬＥＤ−ＣＨ２、ＬＥＤ−ＣＨｎそれぞれにＬＥＤの順方向電圧（ＶＦ）の偏差によって３３Ｖ、３４Ｖ及び３５Ｖがかかるとすれば、前記第１駆動制御用素子１００−１、第２駆動制御用素子１００−２及び第ｎ駆動制御用素子１００−ｎそれぞれには、パルス幅変調された第１、第２及び第ｎ制御信号ＳＣ１、ＳＣ２、ＳＣｎに応じたスイッチング動作によってほぼ同一に０．１Ｖ程度がかかる。
【０１００】
上述のように、前記第１、第２及び第ｎ駆動制御用素子１００−１、１００−２、１００−ｎそれぞれにかかる電圧が０．１Ｖ程度に低いので、発熱が低く、これによってＩＣに内蔵が可能となる。
【０１０１】
続いて、前記第１電流検出部２００−１、第２電流検出部２００−２及び第ｎ電流検出部２００−ｎには、それぞれ２．４Ｖ、１．４Ｖ及び０．４Ｖがかかる。
【０１０２】
図４を参照すると、前記第１〜第ｎ電流検出部２００−１〜２００−ｎそれぞれの抵抗が同一であるとすると、前記第１〜第ｎ電流検出部２００−１〜２００−ｎそれぞれにかかる電圧が異なるので、前記第１電流検出部２００−１に流れる電流Ｉ１、前記第２電流検出部２００−２に流れる電流Ｉ２、そして前記第ｎ電流検出部２００−ｎに流れる電流Ｉｎは互いに高さが異なるようになる。尚、前記第１〜第ｎ制御信号ＳＣ１、ＳＣ２、ＳＣｎのパルス幅によって電流の幅も互いに異なるように定まる。
【産業上の利用可能性】
【０１０３】
上述のような本発明において、マルチチャンネルＬＥＤを駆動するにあたって各チャンネル別にＬＥＤの順方向電圧（ＶＦ）偏差によって電流をセンシングし、基準信号と比較してデューティーを制御することで、平均電流が一定するように駆動する。また、順方向電圧（ＶＦ）偏差の大きいチャンネルはデューティーを大きくし、順方向電圧（ＶＦ）偏差の小さいチャンネルはデューティーを小さくすることで、チャンネル間電流マッチング特性が優れる。そして、ＬＥＤ駆動を制御する素子をＰＷＭオン区間内でスイッチング動作させることで、発熱特性が優れるだけでなく、これを利用する場合、ＩＣ内にマルチチャンネルを内蔵することに対する制約が減少し、ＬＥＤシステムを構成するのに価格競争力も高くなる。
【０１０４】
特に、本発明は、補償回路が無くてもチャンネル間電流マッチング特性が優れており、ＬＥＤの順方向電圧偏差による発熱問題を解決することで、ＩＣ内チャンネル内蔵に制約を緩和させる。それによって、全体的にＬＥＤバックライトユニット（ＢＬＵ）システムの構成に最適のソリューション（Ｓｏｌｕｔｉｏｎ）を提供することができる。
【符号の説明】
【０１０５】
ＬＥＤ−ＣＨ１〜ＬＥＤ−ＣＨｎ：第１〜第ｎＬＥＤチャンネル
１００−１〜１００−ｎ：第１〜第ｎ駆動制御用素子
２００−１〜２００−ｎ：第１〜第ｎ電流検出部
３００−１〜３００−ｎ：第１〜第ｎ実効値検出部
４００−１〜４００−ｎ：第１〜第ｎ基準信号生成部
５００−１〜５００−ｎ：第１〜第ｎ比較部
Ｖｃｃ：動作電圧
ＳＣ１−ＳＣｎ：第１〜第ｎ制御信号
【図１】
2011129864.tif 000003
【図２】
2011129864.tif 000004
【図３】
2011129864.tif 000005
【図４】
2011129864.tif 000006